【手続補正書】
【提出日】平成16年9月30日(2004.9.30)
【手続補正１】
【補正対象書類名】明細書
【補正対象項目名】特許請求の範囲
【補正方法】変更
【補正の内容】
【特許請求の範囲】
【請求項１】
レイアウト情報を記憶するためのレイアウト記憶手段と、
オブジェクトを入力するためのオブジェクト入力手段と、
少なくとも用紙規格及び／又はマージンを設定するための印刷設定手段と、
前記レイアウト情報、前記オブジェクト並びに用紙規格及び／又はマージンを含む印刷条件に基づいて印刷対象画像を形成する印刷画像形成手段であって、前記印刷設定手段により所定規格の用紙にマージン無しで印刷するように前記用紙規格及び／又は前記マージンが設定されると、用紙より大きい描画領域の全体にアスペクト比を維持して前記オブジェクトを拡大又は縮小して割付けた印刷対象画像を形成し、前記印刷設定手段により所定規格の用紙にマージン有りで印刷するように前記用紙規格及び／又は前記マージンが設定されると、用紙より小さい描画領域にアスペクト比を維持して前記オブジェクトを拡大又は縮小して割り付けた印刷対象画像を形成する印刷画像形成手段と、
前記印刷対象画像を印刷するための印刷ジョブを出力する印刷ジョブ出力手段と、
を備えることを特徴とする印刷制御装置。
【請求項２】
前記印刷画像形成手段は、前記印刷設定手段によりマージン無しが設定されている場合、ディジタルカメラによって作成されたオブジェクトに付属する重点情報を用いて用紙からはみ出す描画領域を設定することを特徴とする請求項１に記載の印刷制御装置。
【請求項３】
前記印刷画像形成手段は、前記印刷設定手段によりマージン無しが設定されている場合、前記印刷ジョブに基づいて前記印刷対象画像を印刷する印刷手段の特性によって用紙からはみ出す描画領域を設定することを特徴とする請求項１に記載の印刷制御装置。
【請求項４】
第１のマージンを規定する情報を含むレイアウト情報を記憶するためのレイアウト記憶手段と、
オブジェクトを入力するためのオブジェクト入力手段と、
少なくとも第２のマージンを設定するための印刷設定手段と、
前記第１のマージン、前記第２のマージン、前記レイアウト情報、前記オブジェクト及び用紙サイズを含む印刷条件に基づいて前記オブジェクトを拡大又は縮小して割付けた印刷対象画像を形成する、印刷画像形成手段と、
前記印刷対象画像を印刷するための印刷ジョブを出力する印刷ジョブ出力手段と、
を備えることを特徴とする印刷制御装置。
【請求項５】
前記印刷画像形成手段は、前記レイアウト情報によりマージン有りのレイアウトが規定され前記印刷設定手段によりマージン有りが設定されている場合、用紙より小さい描画領域にアスペクト比を維持してオブジェクトの全体を拡大又は縮小して割り付けた前記印刷対象画像を形成することを特徴とする請求項１又は４に記載の印刷制御装置。
【請求項６】
前記印刷画像形成手段は、レイアウト情報によりマージン無しのレイアウトが規定され前記印刷設定手段によりマージン有りが設定されている場合、用紙より小さい描画領域にアスペクト比を維持して前記オブジェクトの中央部を拡大又は縮小して割り付けた前記印刷対象画像を形成し、
前記印刷画像形成手段によって描画領域に割り付けられない前記オブジェクトの外縁部は、前記レイアウト情報が用紙からはみ出す領域として規定している領域に対応することを特徴とする請求項１又は４に記載の印刷制御装置。
【請求項７】
請求項１〜６のいずれか一項に記載の印刷制御装置と、
前記印刷ジョブに基づいて前記印刷対象画像を印刷する印刷手段と、
を備えることを特徴とする印刷システム。
【手続補正２】
【補正対象書類名】明細書
【補正対象項目名】０００６
【補正方法】変更
【補正の内容】
【０００６】
【課題を解決するための手段】
上記目的を達成するため、本発明に係る印刷制御装置は、レイアウト情報を記憶するためのレイアウト記憶手段と、オブジェクトを入力するためのオブジェクト入力手段と、少なくとも用紙規格及び／又はマージンを設定するための印刷設定手段と、前記レイアウト情報、前記オブジェクト並びに前記用紙規格及び／又はマージンを含む印刷条件に基づいて印刷対象画像を形成する印刷画像形成手段であって、前記印刷設定手段により所定規格の用紙にマージン無しで印刷するように前記用紙規格及び／又は前記マージンが設定されると、用紙より大きい描画領域の全体にアスペクト比を維持して前記オブジェクトを拡大又は縮小して割付けた印刷対象画像を形成し、前記印刷設定手段により所定規格の用紙にマージン有りで印刷するように前記用紙規格及び／又は前記マージンが設定されると、用紙より小さい描画領域にアスペクト比を維持して前記オブジェクトを拡大又は縮小して割り付けた印刷対象画像を形成する印刷画像形成手段と、前記印刷対象画像を印刷するための印刷ジョブを出力する印刷ジョブ出力手段と、を備えることを特徴とする。
【手続補正３】
【補正対象書類名】明細書
【補正対象項目名】０００７
【補正方法】変更
【補正の内容】
【０００７】
所定規格の用紙にマージン無しで印刷するように用紙規格及び／又はマージンが設定されると、用紙より大きい描画領域の全体にアスペクト比（縦／横）を維持してオブジェクトを拡大又は縮小して割付けた印刷対象画像を形成し、形成した印刷対象画像を印刷することにより、たとえレイアウト情報で所定の用紙にマージン有りで印刷するようにレイアウトが規定されていても任意の規格の用紙にアスペクト比を維持してマージン無しでオブジェクトを印刷することができる。所定規格の用紙にマージン有りで印刷するように用紙規格及び／又はマージンが設定されると、用紙より小さい描画領域にアスペクト比を維持してオブジェクトを拡大又は縮小して割り付けた印刷対象画像を形成し、形成した印刷対象画像を印刷することにより、たとえレイアウト情報で所定の用紙にマージン無しで印刷するようにレイアウトが規定されていても任意の規格の用紙にアスペクト比を維持してマージン有りでオブジェクトを印刷することができる。すなわち、本発明に係る印刷制御装置によると、予め記憶されているレイアウト情報を用いて当該レイアウト情報が規定している用紙規格及びマージンと異なる設定でアスペクト比を維持してオブジェクトを印刷することができる。
【手続補正４】
【補正対象書類名】明細書
【補正対象項目名】０００８
【補正方法】変更
【補正の内容】
【０００８】
さらに本発明に係る印刷制御装置によると、前記印刷画像形成手段は、前記印刷設定手段によりマージン無しが設定されている場合、ディジタルカメラによって作成されたオブジェクトに付属する重点情報を用いて用紙からはみ出す描画領域を設定することを特徴とする。ディジタルカメラによって作成されたオブジェクトに付属する重点情報を用いて用紙からはみ出す描画領域を設定することにより、オブジェクトの要部すなわち被写体の要部が印刷されないことを防止できる。
【手続補正５】
【補正対象書類名】明細書
【補正対象項目名】０００９
【補正方法】変更
【補正の内容】
【０００９】
さらに本発明に係る印刷制御装置によると、前記印刷画像形成手段は、前記印刷設定手段によりマージン無しが設定されている場合、前記印刷ジョブに基づいて前記印刷対象画像を印刷する印刷手段の特性によって用紙からはみ出す描画領域を設定することを特徴とする。印刷手段の特性によって用紙からはみ出す描画領域を設定することにより、マージン無しで設定したにもかかわらずマージン有りで印刷されることが防止される。具体的に説明すると、例えば用紙からはみ出してインクを噴射する幅（はみ出し幅）を左右各３ｍｍ以上に設定しないと用紙の斜行等によりマージンが形成されてしまう特性をインクジェット方式のプリンタエンジンが有すると仮定する。このようなプリンタエンジンに対してマージン無しの設定をしたとしても、左右のはみ出し幅が各２ｍｍに設定されているマージン無しのレイアウト情報に従ってはみ出し幅を左右各２ｍｍに設定して印刷すればマージンが形成される。しかし、プリンタエンジンの特性に応じてはみ出し幅を左右各３ｍｍに設定して印刷すれば、設定通りにマージンは形成されない。
【手続補正６】
【補正対象書類名】明細書
【補正対象項目名】００１０
【補正方法】変更
【補正の内容】
【００１０】
上記目的を達成するため、本発明に係る印刷制御装置は、第１のマージンを規定する情報を含むレイアウト情報を記憶するためのレイアウト記憶手段と、オブジェクトを入力するためのオブジェクト入力手段と、少なくとも第２のマージンを設定するための印刷設定手段と、前記第１のマージン、前記第２のマージン、前記レイアウト情報、前記オブジェクト及び用紙サイズを含む印刷条件に基づいて前記オブジェクトを拡大又は縮小して割付けた印刷対象画像を形成する、印刷画像形成手段と、前記印刷対象画像を印刷するための印刷ジョブを出力する印刷ジョブ出力手段と、を備えることを特徴とする。
さらに本発明に係る印刷システムによると、前記印刷画像形成手段は、レイアウト情報によりマージン有りのレイアウトが規定され前記印刷設定手段によりマージン有りが設定されている場合、用紙より小さい描画領域にアスペクト比を維持してオブジェクトの全体を拡大又は縮小して割り付けた前記印刷対象画像を形成することを特徴とする。マージン有りのレイアウトを規定したレイアウト情報は、オブジェクトの全体が印刷されるレイアウトである。したがって用紙より小さい描画領域にアスペクト比を維持してオブジェクトの全体を拡大又は縮小して割り付けた印刷対象画像を形成することにより、用紙規格が変更されたとしても、レイアウト情報でもともと印刷するように規定していた領域を印刷することができる。
【手続補正７】
【補正対象書類名】明細書
【補正対象項目名】００１１
【補正方法】変更
【補正の内容】
【００１１】
さらに本発明に係る印刷システムによると、前記印刷画像形成手段は、レイアウト情報によりマージン無しのレイアウトが規定され前記印刷設定手段によりマージン有りが設定されている場合、用紙より小さい描画領域にアスペクト比を維持して前記オブジェクトの中央部を拡大又は縮小して割り付けた前記印刷対象画像を形成し、前記印刷画像形成手段によって描画領域に割り付けられない前記オブジェクトの外縁部は、前記レイアウト情報が用紙からはみ出す領域として規定している領域に対応することを特徴とする。マージン無しのレイアウトを規定したレイアウト情報は、オブジェクトの外縁部が印刷されないレイアウトである。したがって、印刷画像形成手段によって描画領域に割り付けられないオブジェクトの外縁部を、レイアウト情報が用紙からはみ出す領域として規定している領域に対応させることにより、マージン無しにレイアウトが設定されたとしても、レイアウト情報でもともと印刷するように規定していた領域のみを印刷することができる。
上記目的を達成するため、本発明に係る印刷システムは、上述した印刷制御装置と、前記印刷ジョブに基づいて前記印刷対象画像を印刷する印刷手段と、を備えることを特徴とする。